【手続補正書】
【提出日】平成21年5月12日(2009.5.12)
【手続補正１】
【補正対象書類名】特許請求の範囲
【補正対象項目名】全文
【補正方法】変更
【補正の内容】
【特許請求の範囲】
【請求項１】
光源と該光源から射出される光を情報記録媒体に照射する光学素子との間の光路中に、光軸に合わせて配置され、前記情報記録媒体で生ずる光の収差を補正する収差補正素子であって、
液晶素子と、
第１電極と、
前記液晶素子を挟んで前記第１電極と互いに対向し、且つ前記光軸方向において多層に配列される複数の第２電極と、
前記複数の第２電極の夫々に電圧を印加するための複数の引き出し線とを備え、
前記複数の第２電極のうち一の第２電極よりも前記液晶素子に対して遠くに配置される他の第２電極に前記電圧を印加するための前記引き出し線及び該引き出し線と前記光軸方向において対向する前記液晶素子の少なくとも一部の間に、前記一の第２電極の少なくとも一部が配置されていることを特徴とする収差補正素子。
【請求項２】
光源と該光源から射出される光を情報記録媒体に照射する光学素子との間の光路中に、光軸に合わせて配置され、前記情報記録媒体で生ずる光の収差を補正する収差補正素子であって、
液晶素子と、
第１電極と、
前記液晶素子を挟んで前記第１電極と互いに対向し、且つ前記光軸方向において多層に配列される複数の第２電極と、
前記複数の第２電極の夫々に電圧を印加するための複数の引き出し線とを備え、
前記複数の第２電極のうち一の第２電極よりも前記液晶素子に対して遠くに配置される他の第２電極に前記電圧を印加するための前記引き出し線は、前記複数の第２電極の夫々の前記電圧が印加されるべき少なくとも一部の領域と前記第１電極との間を除く部分に形成されることを特徴とする収差補正素子。
【請求項３】
前記複数の引き出し線の夫々は、前記電圧が印加されるべき前記複数の第２電極の夫々の少なくとも一部の領域と前記第１電極との間を除く部分に形成されることを特徴とする請求項２に記載の収差補正素子。
【請求項４】
前記他の第２電極に前記電圧を印加するための前記引き出し線及び該引き出し線と前記光軸方向において対向する前記液晶素子の少なくとも一部の間に、前記複数の第２電極のうち少なくとも一つが配置されていることを特徴とする請求項２又は３に記載の収差補正素子。
【請求項５】
前記複数の引き出し線のうち前記一の第２電極に前記電圧を印加するための一の引き出し線を除く他の引き出し線と前記液晶素子との間の距離が、前記複数の第２電極の夫々と前記液晶素子との間の距離よりも長いことを特徴とする請求項１から４のいずれか一項に記載の収差補正素子。
【請求項６】
前記複数の引き出し線の夫々及び該夫々の引き出し線と前記光軸方向において対向する前記液晶素子の少なくとも一部の間に、前記複数の第２電極のうち少なくとも一つが配置されていることを特徴とする請求項１から５のいずれか一項に記載の収差補正素子。
【請求項７】
前記複数の引き出し線の夫々と前記液晶素子との間の距離が、前記複数の第２電極と前記液晶素子との間の距離よりも長いことを特徴とする請求項１から６のいずれか一項に記載の収差補正素子。
【請求項８】
前記複数の第２電極のうち少なくとも一つの第２電極は、該少なくとも一つの第２電極に前記電圧を印加するための前記引き出し線と一体化されていることを特徴とする請求項１から７のいずれか一項に記載の収差補正素子。
【請求項９】
前記複数の第２電極の間には、絶縁層が配置されていることを特徴とする請求項１から８のいずれか一項に記載の収差補正素子。
【請求項１０】
前記絶縁層には、前記複数の第２電極の夫々と該夫々の第２電極に対応する前記複数の引き出し線の夫々とを接続するためのスルーホールが形成されていることを特徴とする請求項９に記載の収差補正素子。
【請求項１１】
前記複数の第２電極の夫々は、前記光軸方向において相互に間隙を作ることなく、前記光軸方向に配列されていることを特徴とする請求項１から１０のいずれか一項に記載の収差補正素子。
【請求項１２】
前記複数の引き出し線のうち少なくとも２つの引き出し線は、所定の抵抗値を有する抵抗線により電気的に接続されていることを特徴とする請求項１から１１のいずれか一項に記載の収差補正素子。
【請求項１３】
光源と該光源から射出される光を情報記録媒体に照射する光学素子との間の光路中に、光軸に合わせて配置され、前記情報記録媒体で生ずる光の収差を補正する収差補正素子であって、
液晶素子と、
前記液晶素子の表面に面して配置され、且つ前記光軸方向において多層に配列される複数の第１電極と、
前記液晶素子を挟むように前記液晶素子の裏面に面して配置され、且つ前記第１電極と互いに対向し、且つ前記光軸方向において多層に配列される複数の第２電極と、
前記複数の第１電極及び前記複数の第２電極の夫々に電圧を印加するための複数の引き出し線とを備え、
前記複数の第１電極のうち一の第１電極よりも前記液晶素子の表面に対して遠くに配置される他の第１電極に前記電圧を印加するための前記引き出し線及び該引き出し線と前記光軸方向において対向する前記液晶素子の少なくとも一部の間に、前記一の第１電極のうち少なくとも一部が配置され、
前記複数の第２電極のうち一の第２電極よりも前記液晶素子の裏面に対して遠くに配置される他の第２電極に前記電圧を印加するための前記引き出し線及び該引き出し線と前記光軸方向において対向する前記液晶素子の少なくとも一部の間に、前記一の第２電極のうち少なくとも一部が配置されていることを特徴とする収差補正素子。
【請求項１４】
光源と該光源から射出される光を情報記録媒体に照射する光学素子との間の光路中に、光軸に合わせて配置され、前記情報記録媒体で生ずる光の収差を補正する収差補正素子であって、
液晶素子と、
前記液晶素子の表面に面して配置され、且つ前記光軸方向において多層に配列される複数の第１電極と、
前記液晶素子を挟むように前記液晶素子の裏面に面して配置され、且つ前記第１電極と互いに対向し、且つ前記光軸方向において多層に配列される複数の第２電極と、
前記複数の第１電極及び前記複数の第２電極の夫々に電圧を印加するための複数の引き出し線とを備え、
前記複数の第１電極のうち一の第１電極よりも前記液晶素子の表面に対して遠くに配置される他の第１電極に前記電圧を印加するための前記引き出し線は、前記複数の第１電極の夫々の前記電圧が印加されるべき少なくとも一部の領域と前記複数の第２電極の夫々との間を除く部分に形成され、
前記複数の第２電極のうち一の第２電極よりも前記液晶素子の裏面に対して遠くに配置される他の第２電極に前記電圧を印加するための前記引き出し線は、前記複数の第２電極の夫々の前記電圧が印加されるべき少なくとも一部の領域と前記複数の第１電極の夫々との間を除く部分に形成されることを特徴とする収差補正素子。
【請求項１５】
請求項１から１４のいずれか一項に記載の収差補正素子と、
前記光を射出する射出素子と、
前記光を検出する検出素子とを備えることを特徴とする光ピックアップ。
【請求項１６】
請求項１から１４のいずれか一項に記載の収差補正素子と、
前記光の射出及び検出の少なくとも一方を実行する光ピックアップと、
前記光を記録媒体に照射することで、データの記録及び再生のうち少なくとも一方を実行する記録再生手段とを備えることを特徴とする情報機器。
【手続補正２】
【補正対象書類名】明細書
【補正対象項目名】０００７
【補正方法】変更
【補正の内容】
【０００７】
上記課題を解決するために、請求項１に記載の収差補正素子は、光源と該光源から射出される光を情報記録媒体に照射する光学素子との間の光路中に、光軸に合わせて配置され、前記情報記録媒体で生ずる光の収差を補正する収差補正素子であって、液晶素子と、第１電極と、前記液晶素子を挟んで前記第１電極と互いに対向し、且つ前記光軸方向において多層に配列される複数の第２電極と、前記複数の第２電極の夫々に電圧を印加するための複数の引き出し線とを備え、前記複数の第２電極のうち一の第２電極よりも前記液晶素子に対して遠くに配置される他の第２電極に前記電圧を印加するための前記引き出し線及び該引き出し線と前記光軸方向において対向する前記液晶素子の少なくとも一部の間に、前記一の第２電極の少なくとも一部が配置されている。
【手続補正３】
【補正対象書類名】明細書
【補正対象項目名】０００８
【補正方法】変更
【補正の内容】
【０００８】
上記課題を解決するために、請求項２に記載の収差補正素子は、光源と該光源から射出される光を情報記録媒体に照射する光学素子との間の光路中に、光軸に合わせて配置され、前記情報記録媒体で生ずる光の収差を補正する収差補正素子であって、液晶素子と、第１電極と、前記液晶素子を挟んで前記第１電極と互いに対向し、且つ前記光軸方向において多層に配列される複数の第２電極と、前記複数の第２電極の夫々に電圧を印加するための複数の引き出し線とを備え、前記複数の第２電極のうち一の第２電極よりも前記液晶素子に対して遠くに配置される他の第２電極に前記電圧を印加するための前記引き出し線は、前記複数の第２電極の夫々の前記電圧が印加されるべき少なくとも一部の領域と前記第１電極との間を除く部分に形成される。
【手続補正４】
【補正対象書類名】明細書
【補正対象項目名】０００９
【補正方法】変更
【補正の内容】
【０００９】
上記課題を解決するために、請求項１３に記載の収差補正素子は、光源と該光源から射出される光を情報記録媒体に照射する光学素子との間の光路中に、光軸に合わせて配置され、前記情報記録媒体で生ずる光の収差を補正する収差補正素子であって、液晶素子と、前記液晶素子の表面に面して配置され、且つ前記光軸方向において多層に配列される複数の第１電極と、前記液晶素子を挟むように前記液晶素子の裏面に面して配置され、且つ前記第１電極と互いに対向し、且つ前記光軸方向において多層に配列される複数の第２電極と、前記複数の第１電極及び前記複数の第２電極の夫々に電圧を印加するための複数の引き出し線とを備え、前記複数の第１電極のうち一の第１電極よりも前記液晶素子の表面に対して遠くに配置される他の第１電極に前記電圧を印加するための前記引き出し線及び該引き出し線と前記光軸方向において対向する前記液晶素子の少なくとも一部の間に、前記一の第１電極のうち少なくとも一部が配置され、前記複数の第２電極のうち一の第２電極よりも前記液晶素子の裏面に対して遠くに配置される他の第２電極に前記電圧を印加するための前記引き出し線及び該引き出し線と前記光軸方向において対向する前記液晶素子の少なくとも一部の間に、前記一の第２電極のうち少なくとも一部が配置されている。
【手続補正５】
【補正対象書類名】明細書
【補正対象項目名】００１０
【補正方法】変更
【補正の内容】
【００１０】
上記課題を解決するために、請求項１４に記載の収差補正素子は、光源と該光源から射出される光を情報記録媒体に照射する光学素子との間の光路中に、光軸に合わせて配置され、前記情報記録媒体で生ずる光の収差を補正する収差補正素子であって、液晶素子と、前記液晶素子の表面に面して配置され、且つ前記光軸方向において多層に配列される複数の第１電極と、前記液晶素子を挟むように前記液晶素子の裏面に面して配置され、且つ前記第１電極と互いに対向し、且つ前記光軸方向において多層に配列される複数の第２電極と、前記複数の第１電極及び前記複数の第２電極の夫々に電圧を印加するための複数の引き出し線とを備え、前記複数の第１電極のうち一の第１電極よりも前記液晶素子の表面に対して遠くに配置される他の第１電極に前記電圧を印加するための前記引き出し線は、前記複数の第１電極の夫々の前記電圧が印加されるべき少なくとも一部の領域と前記複数の第２電極の夫々との間を除く部分に形成され、前記複数の第２電極のうち一の第２電極よりも前記液晶素子の裏面に対して遠くに配置される他の第２電極に前記電圧を印加するための前記引き出し線は、前記複数の第２電極の夫々の前記電圧が印加されるべき少なくとも一部の領域と前記複数の第１電極の夫々との間を除く部分に形成される。
【手続補正６】
【補正対象書類名】明細書
【補正対象項目名】００１５
【補正方法】変更
【補正の内容】
【００１５】
本発明の収差補正素子に係る第１実施形態は、光源と該光源から射出される光を情報記録媒体に照射する光学素子との間の光路中に、光軸に合わせて配置され、前記情報記録媒体で生ずる光の収差を補正する収差補正素子であって、液晶素子と、第１電極と、前記液晶素子を挟んで前記第１電極と互いに対向し、且つ前記光軸方向において多層に配列される複数の第２電極と、前記複数の第２電極の夫々に電圧を印加するための複数の引き出し線とを備え、前記複数の第２電極のうち一の第２電極よりも前記液晶素子に対して遠くに配置される他の第２電極に前記電圧を印加するための前記引き出し線及び該引き出し線と前記光軸方向において対向する前記液晶素子の少なくとも一部の間に、前記一の第２電極の少なくとも一部が配置されている。
【手続補正７】
【補正対象書類名】明細書
【補正対象項目名】００２０
【補正方法】変更
【補正の内容】
【００２０】
本発明の収差補正素子に係る第２実施形態は、光源と該光源から射出される光を情報記録媒体に照射する光学素子との間の光路中に、光軸に合わせて配置され、前記情報記録媒体で生ずる光の収差を補正する収差補正素子であって、液晶素子と、第１電極と、前記液晶素子を挟んで前記第１電極と互いに対向し、且つ前記光軸方向において多層に配列される複数の第２電極と、前記複数の第２電極の夫々に電圧を印加するための複数の引き出し線とを備え、前記複数の第２電極のうち一の第２電極よりも前記液晶素子に対して遠くに配置される他の第２電極に前記電圧を印加するための前記引き出し線は、前記複数の第２電極の夫々の前記電圧が印加されるべき少なくとも一部の領域と前記第１電極との間を除く部分に形成される。
【手続補正８】
【補正対象書類名】明細書
【補正対象項目名】００３１
【補正方法】変更
【補正の内容】
【００３１】
本発明の収差補正素子に係る第１又は第２実施形態の他の態様は、前記複数の引き出し線の夫々及び該夫々の引き出し線と前記光軸方向において対向する前記液晶素子の少なくとも一部の間に、前記複数の第２電極のうち少なくとも一つが配置されている。
【手続補正９】
【補正対象書類名】明細書
【補正対象項目名】００４５
【補正方法】変更
【補正の内容】
【００４５】
本発明の収差補正素子に係る第３実施形態は、光源と該光源から射出される光を情報記録媒体に照射する光学素子との間の光路中に、光軸に合わせて配置され、前記情報記録媒体で生ずる光の収差を補正する収差補正素子であって、液晶素子と、前記液晶素子の表面に面して配置され、且つ前記光軸方向において多層に配列される複数の第１電極と、前記液晶素子を挟むように前記液晶素子の裏面に面して配置され、且つ前記第１電極と互いに対向し、且つ前記光軸方向において多層に配列される複数の第２電極と、前記複数の第１電極及び前記複数の第２電極の夫々に電圧を印加するための複数の引き出し線とを備え、前記複数の第１電極のうち一の第１電極よりも前記液晶素子の表面に対して遠くに配置される他の第１電極に前記電圧を印加するための前記引き出し線及び該引き出し線と前記光軸方向において対向する前記液晶素子の少なくとも一部の間に、前記一の第１電極のうち少なくとも一部が配置され、前記複数の第２電極のうち一の第２電極よりも前記液晶素子の裏面に対して遠くに配置される他の第２電極に前記電圧を印加するための前記引き出し線及び該引き出し線と前記光軸方向において対向する前記液晶素子の少なくとも一部の間に、前記一の第２電極のうち少なくとも一部が配置されている。
【手続補正１０】
【補正対象書類名】明細書
【補正対象項目名】００４６
【補正方法】変更
【補正の内容】
【００４６】
また、本発明の収差補正素子に係る第４実施形態は、光源と該光源から射出される光を情報記録媒体に照射する光学素子との間の光路中に、光軸に合わせて配置され、前記情報記録媒体で生ずる光の収差を補正する収差補正素子であって、液晶素子と、前記液晶素子の表面に面して配置され、且つ前記光軸方向において多層に配列される複数の第１電極と、前記液晶素子を挟むように前記液晶素子の裏面に面して配置され、且つ前記第１電極と互いに対向し、且つ前記光軸方向において多層に配列される複数の第２電極と、前記複数の第１電極及び前記複数の第２電極の夫々に電圧を印加するための複数の引き出し線とを備え、前記複数の第１電極のうち一の第１電極よりも前記液晶素子の表面に対して遠くに配置される他の第１電極に前記電圧を印加するための前記引き出し線は、前記複数の第１電極の夫々の前記電圧が印加されるべき少なくとも一部の領域と前記複数の第２電極の夫々との間を除く部分に形成され、前記複数の第２電極のうち一の第２電極よりも前記液晶素子の裏面に対して遠くに配置される他の第２電極に前記電圧を印加するための前記引き出し線は、前記複数の第２電極の夫々の前記電圧が印加されるべき少なくとも一部の領域と前記複数の第１電極の夫々との間を除く部分に形成される。
【手続補正１１】
【補正対象書類名】明細書
【補正対象項目名】００５４
【補正方法】変更
【補正の内容】
【００５４】
以上説明したように、本発明の収差補正素子に係る第１実施形態によれば、液晶素子、第１電極、第２電極及び引き出し線を備え、一の第２電極よりも前記液晶素子に対して遠くに配置される他の第２電極に電圧を印加するための引き出し線及び該引き出し線と対向する液晶素子の間に、一の第２電極の少なくとも一部が配置される。また、本発明の収差補正素子に係る第２実施形態によれば、液晶素子、第１電極、第２電極及び引き出し線を備え、一の第２電極よりも前記液晶素子に対して遠くに配置される他の第２電極に電圧を印加するための引き出し線は、電圧が印加されるべき第２電極と第１電極との間を除く部分に形成される。従って、引き出し線の存在によって、液晶素子に不要な或いは誤った電圧が印加されてしまうという不都合をより効果的に防止ないしは抑制することができる。これにより、より好適に収差を補正することが可能となる。